(57)【要約】【課題】建物の雨樋等に頼らず、簡単な方法で雨水を集水する装置を提供する。【解決手段】水を通さない側面板２と底面板３を有し、底面板３には溝状の流路５が設けられ、その流路５以外の側面板２と底面板３の内側に、水は通すがゴミや虫等を通しにくい網状のゴミ除け４を埋め、一体化させた構造をなし、開放された面を上向きにして直接地面に配置する事で、ゴミや虫等の混じらない雨水を集水する事が出来るという事を特徴とする雨水集水装置１である。前記流路５の両端は、外部に開放されている。その開放された部分がパイプを接合可能なソケット６構造を有し、パイプを介して雨水集水装置１を必要個数接続、又は撤去する事が出来る構造である事を特徴としている。【選択図】　　　図１
2004036374.tif 000002
【特許請求の範囲】
【請求項１】
水を通さない材質の板で側面と底面を有し、底面には溝状の流路が設けられ、その流路以外の側面と底面の内側に、水は通すがゴミや虫等を通しにくい網状の物で埋め、一体化した構造をなし、開放された面を上向きにして地面に設置して雨水を集水する事を特徴とする雨水集水装置。
【請求項２】
前記溝状の流路は底面を横断し、流路の両端は外部に開放されている。その開放された部分は、パイプを接合可能なソケット構造を有し、パイプを介して請求項１記載の雨水集水装置を必要個数接続でき、又は取り外しできる構造である事を特徴とする請求項１記載の雨水集水装置。
【請求項３】
請求項１、又は請求項２から集水された雨水を、パイプを介して流入させて貯水するタンクを備える。そのタンクは満水になると、それ以外の雨水は外部へ放出される構造を有し、開口部は光を通さない材質の蓋が設けられ、地下に埋設されている事を特徴とする雨水貯水装置。
【発明の詳細な説明】
【０００１】
【発明の属する技術分野】
本発明は、建築物の雨樋に頼らず、降雨時の雨水を集水する装置、及びこれを用いて集水した雨水を貯水する装置に関する。
【０００２】
【従来の技術】
従来より、建物があれば雨樋を利用して雨水を集水し、貯水する方法は多数提供されている。又、水資源の有効利用の見地から雨水を積極的に利用している地域が多くなってきている。しかし、雨水を利用する為に小屋や建物を新築するという方法は、経済的な観点から限界がある。
【０００３】
建物が無い場合は、桶や水溜容器を利用して雨水を集水して貯水する方法が昔から用いられているが、ゴミや虫等腐食の原因となるものが混入し易く、長時間の貯水が出来ない場合が多い。
【０００４】
【発明が解決しようとする課題】
畑の近くに小屋や建物が無い為に雨樋の水が利用出来ない、又、水を運ぶのが困難な為に荒地となっている土地が多く見受けられるようになった。これらの土地を有効に活用する為には、その場所での水の確保が必要になる、という課題。
【０００５】
桶や水溜容器で雨水を集水する場合は、開口部からゴミや虫等が混入し易く、それが雨水を早く腐食させる原因となり、長時間貯水出来ないという課題。
【０００６】
本発明は、以上に述べた課題を解決する為になされたものであり、雨水を集水するのに特別難しい技術は必要とせずに、設置や撤去、又は移動する事が出来、長時間貯水できる装置を安価で提供する事を目的とする。
【０００７】
【課題を解決する為の手段】
上記の課題を解決し目的を達成する為に、種々の検討を行った結果、ゴミや虫等の混入しない容器を必要個数地面に直接配置して、雨樋などに頼らず雨水を集水し、地下タンクに貯水する事に想到し、本発明を完成した。
即ち、水を通さない材質の板で側面と底面を有し、底面には溝状の流路が設けられ、その流路以外の側面と底面の内側を、水は通すがゴミや虫等を通しにくい網状の物で埋め、一体化した構造とする。
【０００８】
前記溝状の流路は、雨水集水装置の底面を横断し、その両端は側面を貫通して外部に開放されている。この開放部分をパイプで接続又は切り離しする事で、簡単に設置、又は撤去出来る構造とする。
【０００９】
貯水槽は温度変化の少ない地下埋設とし、開口部には光を通さない材質の蓋を設置する事で腐食を防ぎ、長時間雨水を貯水する事が出来る。
本発明の装置の構造は極めて簡単で、設置に特別難しい技術が必要無く、又それ程の強度又は精度は必要無いので、安価で提供する事が出来る。
【００１０】
【発明実施の形態】
本発明に係る雨水集水装置の実施の形態を図面に沿って説明する。図１は、雨水集水装置の外形を示す立体図。図２は、雨水集水装置の断面図である。
図１・図２を説明すると、雨水集水装置１は水を通さない側面板２と底面板３と溝状の流路５を有し、流路以外の内側全体に、水は通すがゴミや虫等は通しにくい網状のゴミ除け４を埋め、一体化させた構造である。
なお、流路５の両端は、側面板２を貫通して外部に開放されている。この開放部は、パイプを接合出来るソケット６の役割をなし、本装置１を必要個数接続する事によって必要量の雨水を集水し、流路５を通って本装置１の外部へ流出する構造となっている。
簡単に設置・撤去出来るようにするには、本装置１の軽量化が重要なポイントであるが、プラスチックやポリエチレン又はポリプロピレン等の材質を利用すれば軽量化は簡単である。又、特別な強度や精度は必要としないのでリサイクル材を活用出来る。
【００１１】
図３は、雨水集水装置１を用いて雨水を集水し、導水パイプ７を通って地下埋設の貯水槽８へ雨水を流入させて貯水する構成図である。
貯水槽８の上部には雨水を汲み上げる開口部を設け、そこには光を通さない材質で開閉の容易な蓋９を設置する。なお、オーバー水放流管１０は、貯水槽８が満水になると、それ以外の雨水を外部へ放流する構造となっている。
貯水槽８は、温度変化の少ない地下埋設とし、開口部は光を通さない蓋９を設置する事で腐食を防ぎ、長時間雨水を貯水出来る。
【００１２】
更に図３の雨水集水装置１の配置について説明する。複数の装置１を流れ勾配を取りながら直接接続する直列方式１１と、パイプを介して並列配置する並列方式１２、そして直列方式１１と並列方式１２を併用した方法があり、その地形・スペースに合った配置を選択できる。例えば、利用価値の少ない土手に、集水装置１を設置する場合は並列方式１２が好ましい。
【００１３】
【発明の効果】
以上説明した雨水集水装置、及びこれを用いた雨水貯水装置によって、水の無い土地や水を運ぶのが困難な場所で作物を栽培する事が可能になり、水が無い為に荒地となっていた土地も有効に活用出来るようになる。
更には、単純な構造で簡単に設置や撤去が出来るので、設置場所を限定せずに配置することが出来、土地の利用変更にも対応が出来るようになる。
タンク内に流入した雨水は、腐食せずに長時間貯水する事が出来るので、降雨時に多量の雨水を貯水する事が可能になる。
【図面の簡単な説明】
【図１】雨水集水装置の外形を示す立体図
【図２】雨水集水装置の構造を示す断面図
【図３】本発明に係る雨水集水装置と、その装置を利用して地下タンクに雨水を貯水する雨水貯水装置の構成図
【符号の説明】
１　雨水集水装置
２　水を通さない側面板
３　水を通さない底面板
４　網状のゴミ除け
５　流路
６　接続ソケット
７　導水パイプ
８　貯水槽
９　蓋
１０　オーバー水放流管
１１　直列方式
１２　並列方式
【図１】
2004036374.tif 000003
【図２】
2004036374.tif 000004
【図３】
2004036374.tif 000005
【手続補正書】
【提出日】平成15年4月7日(2003.4.7)
【手続補正１】
【補正対象書類名】明細書
【補正対象項目名】特許請求の範囲
【補正方法】変更
【補正の内容】
【特許請求の範囲】
【請求項１】
水を通さない材質の板で側面と底面を有し、底面には溝状の流路が設けられ、該流路の両端は外部に開放された開放部を形成し、該開放部はパイプを接合可能なソケット構造を有し、パイプを介して必要個数接続する事ができ、又は取り外しできる構造であり、前記流路以外の側面と底面の内側には、水は通すがゴミや虫等を通しにくい網状の物で埋め、一体化した構造をなし、開放された面を上向きにして地面に設置して、雨水を集水する事を特徴とする雨水集水装置。
【請求項２】
請求項１に記載の雨水集水装置から集水された雨水を、パイプを介して流入させて貯水するタンクを備え、該タンクは満水になると、それ以外の雨水は外部へ放出される構造を有し、開口部は光を通さない材質の蓋が設けられ、地下に埋設されている事を特徴とする雨水貯水装置。